(57)【特許請求の範囲】
【請求項１】
複数の携帯端末でそれぞれ再生されたコンテンツの再生履歴であるコンテンツ再生履歴情報を各携帯端末から広告サーバへ送信し、
前記広告サーバにおいて、
通信網経由で前記複数の携帯端末から送信されたコンテンツ再生履歴情報を集計して再生コンテンツのリストである集計リストを作成し、
広告配信すべき携帯端末のコンテンツ再生履歴情報から当該携帯端末ユーザのコンテンツに対する嗜好を求め、
前記携帯端末ユーザのコンテンツに対する嗜好を求めるための付加情報として前記コンテンツ再生履歴情報から再生頻度の高い再生コンテンツのコンテンツ再生時の端末位置を示す再生位置を求め、
この求めた嗜好情報と前記集計リストとを対比して当該集計リストの中から前記携帯端末ユーザの嗜好に合わせて、前記集計リストにおいて前記求めた再生位置と一致する再生位置から前記コンテンツ再生履歴情報に含まれていないコンテンツを抽出し、
前記集計リストから抽出したコンテンツに関連する広告情報を作成して前記通信網経由で前記携帯端末ユーザの携帯端末へ配信することを特徴とする広告配信方法。
【請求項２】
前記携帯端末ユーザのコンテンツに対する嗜好として前記コンテンツ再生履歴情報から再生頻度が相対的に高い再生コンテンツの属しているジャンルを求め、
前記集計リストにおいて前記求めたジャンルと一致するジャンルから前記コンテンツ再生履歴情報に含まれていないコンテンツを抽出することを特徴とする請求項１に記載の広告配信方法。
【請求項３】
前記各携帯端末で再生されるコンテンツは、音楽コンテンツ又は映像コンテンツであることを特徴とする請求項１又は請求項２に記載の広告配信方法。
【請求項４】
前記広告サーバは、各携帯端末を移動体通信網経由でインターネットに接続するインターネット接続サービスを提供する移動体通信センタ内に構築されていることを特徴とする請求項１から請求項３のいずれかに記載の広告配信方法。
【請求項５】
複数の携帯端末に対して通信網経由で広告を配信する広告サーバであって、
前記複数の携帯端末でそれぞれ再生されたコンテンツの再生履歴であるコンテンツ再生履歴情報を前記通信網経由で各携帯端末から取り込むログ受付部と、
前記複数の携帯端末から取り込まれたコンテンツ再生履歴情報を集計して再生コンテンツのリストである集計リストを作成する集計リスト作成部と、
広告配信すべき携帯端末のコンテンツ再生履歴情報から当該携帯端末ユーザのコンテンツに対する嗜好を求め、前記携帯端末ユーザのコンテンツに対する嗜好を求めるための付加情報として前記コンテンツ再生履歴情報から再生頻度の高い再生コンテンツのコンテンツ再生時の端末位置を示す再生位置を求め、この求めた嗜好情報と前記集計リストとを対比して当該集計リストの中から前記携帯端末ユーザの嗜好に合わせて、前記集計リストにおいて前記求めた再生位置と一致する再生位置から前記コンテンツ再生履歴情報に含まれていないコンテンツを抽出し、前記集計リストから抽出したコンテンツに関連する広告情報を作成して前記通信網経由で前記携帯端末ユーザの携帯端末へ配信する広告配信部と、を具備したことを特徴とする広告サーバ。
【発明の詳細な説明】
【技術分野】
【０００１】
本発明は、広告配信方法及び広告サーバに関し、例えば、携帯電話機等の端末装置に広告情報を配信する広告配信方法及び広告サーバに関する。
【背景技術】
【０００２】
従来、音楽コンテンツの再生履歴情報に基づいて、ユーザの嗜好に合致する音楽コンテンツを推薦する車載端末装置が開示されている（特許文献１）。特許文献１記載の車載端末装置では、複数の車載端末装置間で通信を行い、各車載端末装置が音楽コンテンツの再生履歴情報に基づいて、他の車載端末装置に音楽コンテンツを推薦することが記載されている。
【０００３】
また、ユーザが購入した商品の購入履歴情報に基づいてユーザの嗜好を判断し、該ユーザに対して商品に関連する広告情報を提供するサーバ装置が提案されている（特許文献２）。
【特許文献１】特開２００６−３４０１号公報
【特許文献２】特開２００６−４３９５号公報
【発明の開示】
【発明が解決しようとする課題】
【０００４】
ところで、コンテンツの購入履歴情報は、あくまでもユーザの購入実績を示すものであって、必ずしもユーザの嗜好を正確に示しているわけではない。従って、この購入履歴情報に基づいてユーザの嗜好を予測して広告情報を提供したとしても、ユーザの嗜好を正確に反映した広告情報を提供することとはならない可能性があり、常に高い広告効果を期待できるとは限らなかった。
【０００５】
本発明はかかる点に鑑みてなされたものであり、音楽や映像等の再生型のコンテンツの再生履歴からユーザの嗜好をより正確に把握して、ユーザ毎に高い広告効果を期待できる広告情報を配信する広告配信方法及び広告サーバを提供することを目的とする。
【課題を解決するための手段】
【０００６】
本発明の広告配信方法は、複数の携帯端末でそれぞれ再生されたコンテンツの再生履歴であるコンテンツ再生履歴情報を各携帯端末から広告サーバへ送信し、前記広告サーバにおいて、通信網経由で前記複数の携帯端末から送信されたコンテンツ再生履歴情報を集計して再生コンテンツのリストである集計リストを作成し、広告配信すべき携帯端末のコンテンツ再生履歴情報から当該携帯端末ユーザのコンテンツに対する嗜好を求め、前記携帯端末ユーザのコンテンツに対する嗜好を求めるための付加情報として前記コンテンツ再生履歴情報から再生頻度の高い再生コンテンツのコンテンツ再生時の端末位置を示す再生位置を求め、この求めた嗜好情報と前記集計リストとを対比して当該集計リストの中から前記携帯端末ユーザの嗜好に合わせて、前記集計リストにおいて前記求めた再生位置と一致する再生位置から前記コンテンツ再生履歴情報に含まれていないコンテンツを抽出し、前記集計リストから抽出したコンテンツに関連する広告情報を作成して前記通信網経由で前記携帯端末ユーザの携帯端末へ配信することを特徴とする。
【０００７】
この方法によれば、広告配信すべき携帯端末のコンテンツ再生履歴情報から当該携帯端末ユーザのコンテンツに対する嗜好を求め、この求めた嗜好情報と集計リストとを対比して前記携帯端末ユーザの嗜好に合わせたコンテンツを抽出したコンテンツに関連する広告情報を作成して前記携帯端末ユーザの前記携帯端末へ配信する。これにより、携帯端末ユーザの嗜好を正確に把握すると共に、携帯端末ユーザの嗜好に合致する広告情報を配信することができる。従って、各携帯端末ユーザに配信される広告情報には、各携帯端末ユーザの嗜好が的確に反映されているため、広告情報を見たユーザに、当該広告情報に含まれるコンテンツを購入させる等の広告効果を向上させることができる。また、この場合、前記携帯端末ユーザのコンテンツに対する嗜好を求めるための付加情報として前記コンテンツ再生履歴情報から再生頻度の高い再生コンテンツのコンテンツ再生時の端末位置を示す再生位置を求め、前記集計リストにおいて前記求めた再生位置と一致する再生位置から前記コンテンツ再生履歴情報に含まれていないコンテンツを抽出するので、携帯端末ユーザのコンテンツに対する嗜好をより的確に反映したコンテンツを抽出することができる。すなわち、コンテンツの再生位置から携帯端末ユーザの嗜好の中心を予測し、当該再生位置内で、当該携帯端末ユーザの再生したことのないコンテンツを抽出するので、前記再生位置とは異なる位置で再生されたコンテンツと比べて、特に高い広告効果を期待できるコンテンツを抽出することができる。
【０００８】
また、本発明は、上記広告配信方法において、前記携帯端末ユーザのコンテンツに対する嗜好として前記コンテンツ再生履歴情報から再生頻度が相対的に高い再生コンテンツの属しているジャンルを求め、前記集計リストにおいて前記求めたジャンルと一致するジャンルから前記コンテンツ再生履歴情報に含まれていないコンテンツを抽出することが好ましい。
【０００９】
この場合、前記コンテンツ再生履歴情報の中で再生頻度が相対的に高い再生コンテンツの属しているジャンルを求め、前記集計リストにおいて前記求めたジャンルと一致するジャンルから前記コンテンツ再生履歴情報に含まれていないコンテンツを抽出するので、携帯端末ユーザのコンテンツに対する嗜好をより的確に反映したコンテンツを抽出することができる。すなわち、コンテンツの属するジャンルから携帯端末ユーザの嗜好の中心であるジャンルを予測し、当該ジャンル内で、携帯端末ユーザの再生したことのないコンテンツを抽出するので、前記ジャンルと異なるジャンルに属するコンテンツと比べて、特に高い広告効果を期待できるコンテンツを抽出することができる。
【００１２】
例えば、本発明の広告配信方法において、前記各携帯端末で再生されるコンテンツは、音楽コンテンツ又は映像コンテンツで構成することができる。
【００１３】
また、本発明は、上記広告配信方法において、前記広告サーバは、各携帯端末を移動体通信網経由でインターネットに接続するインターネット接続サービスを提供する移動体通信センタ内に構築することができる。
【００１４】
本発明の広告サーバは、複数の携帯端末に対して通信網経由で広告を配信する広告サーバであって、前記複数の携帯端末でそれぞれ再生されたコンテンツの再生履歴であるコンテンツ再生履歴情報を前記通信網経由で各携帯端末から取り込むログ受付部と、前記複数の携帯端末から取り込まれたコンテンツ再生履歴情報を集計して再生コンテンツのリストである集計リストを作成する集計リスト作成部と、広告配信すべき携帯端末のコンテンツ再生履歴情報から当該携帯端末ユーザのコンテンツに対する嗜好を求め、前記携帯端末ユーザのコンテンツに対する嗜好を求めるための付加情報として前記コンテンツ再生履歴情報から再生頻度の高い再生コンテンツのコンテンツ再生時の端末位置を示す再生位置を求め、この求めた嗜好情報と前記集計リストとを対比して当該集計リストの中から前記携帯端末ユーザの嗜好に合わせて、前記集計リストにおいて前記求めた再生位置と一致する再生位置から前記コンテンツ再生履歴情報に含まれていないコンテンツを抽出し、前記集計リストから抽出したコンテンツに関連する広告情報を作成して前記通信網経由で前記携帯端末ユーザの携帯端末へ配信する広告配信部と、を具備したことを特徴とする。
【００１５】
この構成によれば、広告サーバは、広告配信すべき携帯端末のコンテンツ再生履歴情報から当該携帯端末ユーザのコンテンツに対する嗜好を求め、この求めた嗜好情報と集計リストとを対比して前記携帯端末ユーザの嗜好に合わせたコンテンツを抽出したコンテンツに関連する広告情報を作成して前記携帯端末ユーザの前記携帯端末へ配信する。これにより、携帯端末ユーザの嗜好を正確に把握すると共に、携帯端末ユーザの嗜好に合致する広告情報を配信することができる。従って、各携帯端末ユーザに配信される広告情報には、各携帯端末ユーザの嗜好が的確に反映されているため、広告情報を見たユーザに、当該広告情報に含まれるコンテンツを購入させる等の広告効果を向上させることができる。また、この場合、前記携帯端末ユーザのコンテンツに対する嗜好を求めるための付加情報として前記コンテンツ再生履歴情報から再生頻度の高い再生コンテンツのコンテンツ再生時の端末位置を示す再生位置を求め、前記集計リストにおいて前記求めた再生位置と一致する再生位置から前記コンテンツ再生履歴情報に含まれていないコンテンツを抽出するので、携帯端末ユーザのコンテンツに対する嗜好をより的確に反映したコンテンツを抽出することができる。すなわち、コンテンツの再生位置から携帯端末ユーザの嗜好の中心を予測し、当該再生位置内で、当該携帯端末ユーザの再生したことのないコンテンツを抽出するので、前記再生位置とは異なる位置で再生されたコンテンツと比べて、特に高い広告効果を期待できるコンテンツを抽出することができる。
【発明の効果】
【００１６】
本発明によれば、音楽や映像等の再生型のコンテンツの再生履歴から各ユーザの嗜好をより正確に把握して、ユーザ毎の嗜好を反映した広告情報を配信することができる。そのため、自分の嗜好が的確に反映された広告情報を見たユーザが、当該広告情報の中から新たなコンテンツを購入する等の広告効果を向上させることができる。
【発明を実施するための最良の形態】
【００１７】
以下、本発明の実施の形態について添付図面を参照して詳細に説明する。
（実施の形態１）
図１は、本発明の実施の形態１に係る広告配信システムを説明するための概略構成を示す図である。図１に示す広告配信システムは、携帯端末１（１Ａ〜１Ｃ）が広告配信を受ける広告配信先端末となり、移動通信網２を介して携帯端末１Ａ〜１Ｃと接続される移動通信センタ３が携帯端末１のユーザ毎に最適な広告を生成して配信する広告配信サーバとなる。コンテンツ配信サーバ５は、インターネット４等のネットワークを介して移動通信センタ３と接続される。コンテンツ配信サーバ５は、音楽や映像等の再生型のコンテンツを各携帯端末に配信するサーバであり、各携帯端末からのアクセス（コンテンツの取得要求）に対応して、当該各携帯端末宛に所望のコンテンツを配信する。なお、コンテンツ配信サーバ５の配信するコンテンツは、例えば、音楽、映像又はこれらを組み合わせたものであって携帯端末１で再生可能なコンテンツ（再生型のコンテンツ）であれば、これらに限定されるものではない。以下の説明では、コンテンツ配信サーバ５は、コンテンツの一例として音楽データを配信するものとして説明する。
【００１８】
本広告配信システムは、携帯端末がコンテンツ配信サーバ５から取得したコンテンツの再生履歴である再生履歴情報（再生ログ）を生成して移動通信センタ３に送信し、移動通信センタ３が再生履歴情報に基づいて各携帯端末ユーザのコンテンツに関する嗜好を判断して、判断結果（嗜好情報）に基づいて携帯端末ユーザ毎に最適化された広告情報を配信するものである。なお、本実施の形態では、説明を簡単にするために３台の携帯端末１Ａ〜１Ｃを示したが、これに限定されるものではなく、その数は任意である。
【００１９】
各携帯端末１Ａ〜１Ｃは、再生型のコンテンツを再生する再生装置として機能する携帯電話装置やＰＤＡ（Personal Digital Assistants）などで構成され、移動通信網２を介して移動通信センタ３との間で情報の送受信を行うことができる。各携帯端末１Ａ〜１Ｃは、オペレーティングシステム（移動機ＯＳ）上でブラウザ機能、ビューワ機能、アプリケーション管理機能等の機能が動作する。
【００２０】
移動通信網２は、各携帯端末１Ａ〜１Ｃと移動通信センタ３との間のネットワークである。この移動通信網２には、通常の移動通信網に加えて移動パケット通信網も含まれる。ネットワークには、インターネット４以外のネットワーク、例えばＬＡＮ（Local  Area  Network）やＷＡＮ（Wide  Area  Network）等のネットワークも含まれる。
【００２１】
移動通信センタ３は、インターネット接続サービスを提供するサーバ機能を有すると共に、移動通信網２とインターネット４とを結ぶゲートウェイ機能を担っており、具体的には、情報（広告情報）配信機能、メール送受信機能、メール蓄積機能、契約顧客管理機能、情報提供者（Information Provider）管理機能、並びに情報料課金機能を有する。
【００２２】
図２は、図１に示す各携帯端末１Ａ（１Ｂ，１Ｃ）の概略構成を示すブロック図である。なお、図２に示す構成は、本発明を説明するために簡略化したものであり、携帯端末本来の機能を実現するその他の構成要素は備えているものとする。
【００２３】
携帯端末１Ａは、装置全体を制御する制御部１１と、移動通信網２を介して移動通信センタ３との間で通信を行う通信制御部１２と、種々のデータや広告情報等の各種情報を表示する表示部１３と、装置を操作したり、種々のデータを入力したりする操作部１４と、装置に搭載され、あるいはダウンロードされた種々のアプリケーションを起動するアプリ制御部１５と、を備えている。さらに、携帯端末１Ａは、ダウンロード等により取得した音楽データ及び生成された再生ログを記憶するメモリ１６と、コンテンツ配信サーバ５から取得した音楽データを再生する再生部１７と、再生部１７が再生した音楽データの再生ログを生成する再生ログ生成部１８と、自端末の位置を測位する位置測定部１９と、を備えている。
【００２４】
通信制御部１２は、移動通信センタ３を介して、所望の音楽データの取得要求をコンテンツ配信サーバ５に送信すると共に該コンテンツ配信サーバ５から配信される音楽データを受信する。また、通信制御部は、後述する再生ログ生成部１８で生成された再生ログを移動通信センタ３に送信する。ここで、移動通信センタ３への再生ログの送信は、例えば、携帯端末での通信発生時、Ｗｅｂへのアクセス時、メール送信時及び専用アプリ起動／操作時等に行うことができる。
【００２５】
メモリ１６は、ＲＡＭ（Random  Access  Memory）で構成されており、コンテンツ配信サーバ５から配信された音楽データを格納すると共に、再生ログ生成部１８で生成された再生ログを格納する。
【００２６】
再生ログ生成部１８は、再生部１７で音楽データが再生される都度、当該音楽データ毎の再生ログを生成してメモリ１６に格納する。図４は、再生ログ生成部１８で生成される再生ログの一例を示している。同図に示す再生ログ４０は、音楽データの「アーティスト名」４１、「曲名」４２、「ジャンル」４３等で構成されている。具体的には、再生ログ４４は、アーティスト名「０００」、曲名「ＬＯＶＥ」、ジャンル「Ｊ−ＰＯＰ」からなる音楽データの再生ログであり、再生ログ４５は、アーティスト名「２２２」、曲名「ＦＯＲＴＨ」、ジャンル「Ｊ−ＰＯＰ」からなる音楽データの再生ログである。ここで、再生ログ４０は、音楽データの再生履歴を示す再生履歴情報であるため、音楽データの再生日時情報が含まれることは言うまでもない。また、再生ログ４０は、音楽データの購入履歴情報（購入場所、購入日時等）及び携帯端末固有の属性情報（電話番号、メールアドレス、性別、年齢等）と共に移動通信センタ３に送信される。
【００２７】
図３は、図１に示す移動通信センタ３の概略構成を示すブロック図である。移動通信センタ３は、各携帯端末から提供された再生ログを集計して集計リストを作成すると共に、集計リスト及び各携帯端末の再生ログから携帯端末毎に最適化された広告情報を生成する機能を有しており、そのための構成として図３に示す構成要素を備えている。なお、図３に示す構成は、本発明を説明するために簡略化したものであり、移動通信センタ３本来の機能を実現するための構成要素は備えているものとする。
【００２８】
移動通信センタ３は、携帯端末１Ａ，１Ｂ，１Ｃから送信される再生ログを移動通信網２を介して取得するログ受付部３１と、ログ受付部３１で取得した再生ログが格納されるログデータベース（ＤＢ）３２と、ログＤＢ３２に格納された再生ログを集計して集計リストを作成する集計リスト作成部３３と、作成された集計リストが格納される集計リストデータベース（ＤＢ）３４と、再生ログ及び集計リストに基づいて、携帯端末毎に最適化された広告情報を作成する広告作成部３５と、作成された広告情報を携帯端末に送信する広告配信部３６と、から主に構成されている。
【００２９】
ログ受付部３１は、各携帯端末１Ａ，１Ｂ，１Ｃからの再生ログを収集し、携帯端末毎に再生ログをログＤＢ３２に保存する。ここで、ログＤＢ３２は、各携帯端末１Ａ，１Ｂ，１Ｃから再生ログを受信する度に再生ログが更新される。
【００３０】
ログＤＢ３２は、移動通信センタ３で管理される全ての携帯端末に関して、携帯端末毎の音楽データの再生ログ、例えば、再生された楽曲のアーティスト名、曲名、ジャンル及び再生日時等の再生履歴情報を格納している。集計リストＤＢ３４は、移動通信センタ３で管理される全ての携帯端末の再生ログを、例えば、再生回数の多い順に並び変えた集計リストを格納している。
【００３１】
集計リスト作成部３３は、ログＤＢ３２に格納された全ての携帯端末の再生ログを集計して、当該集計した複数の再生ログの中で相対的に再生回数の多い（再生頻度の高い）楽曲順に並べ替え再生頻度順に楽曲が整列した集計リストを作成する。本例では、集計リスト作成部３３は、ログＤＢ３２に格納された全ての携帯端末の再生ログに対して、広告配信対象となる携帯端末の再生ログの生成時から所定期間（例えば、３０日）内の再生ログがあるか否かで絞り込む。そして、集計リスト作成部３３は、所定期間内の再生ログがある場合には、所定期間内の再生ログのみを抽出して集計リストを作成する一方、所定期間内に再生ログが無い場合には、ログＤＢ３２に格納された全ての再生ログ（所定期間よりも過去に遡った過去分の再生ログ）から集計リストを作成する。図５は、集計リスト作成部３３が作成する集計リストの一例を示す図である。図５に示す集計リスト５０は、「ランク順位」５１、「アーティスト名」５２、「曲名」５３及び「ジャンル」５４から主に構成され、再生回数の多い楽曲順に並べられている。
【００３２】
広告作成部３５は、ログＤＢ３２に格納された携帯端末ユーザの再生ログ４０及び集計リストＤＢ３４に格納された集計リスト５０に基づいて、携帯端末ユーザ毎に最適化された広告情報を作成する。すなわち、広告作成部３５は、今回対象となる携帯端末の再生ログ４０から相対的に再生回数の多いコンテンツ（再生コンテンツ）の属するジャンルを特定し、該ジャンルから当該携帯端末ユーザの嗜好を予測する。そして、広告作成部３５は、特定した楽曲のジャンルを基準に再生ログと集計リストとを照合し（マッチング処理）、図６に示すような、該携帯端末ユーザの嗜好が反映された広告情報を作成する。図６は、広告作成部３５が作成する広告情報６０の一例を示す図である。図６に示す広告情報６０は、例えば「ランク順位」６１、「アーティスト名」６２、「曲名」６３及び「ジャンル」６４から構成されている。広告情報６０を作成するための処理内容については後述する。なお、広告情報６０は、図５に示す集計リスト５０の構成要素を抽出した構成に限定されず、テキスト又はＨＴＭＬ（Hyper  Text   Markup  Language）／ＸＭＬ（Extensible  Markup  Language）によるＰＲ情報（音楽データに関連するお勧め情報等）を付加し、又は画像／動画等で構成してもよい。
【００３３】
次に、図７を用いて、広告配信システムの動作を説明する。図７は、携帯端末１Ａがコンテンツ配信サーバ５から音楽データを受信してから、移動通信センタ３が携帯端末１Ａに広告情報を配信するまでの動作を示すシーケンス図である。ここでは、携帯端末１Ａのユーザが広告配信対象である場合を例に説明をする。
【００３４】
まず、各携帯端末１Ａ，１Ｂのユーザは、所望の音楽データをダウンロードするために移動通信センタ３を介してコンテンツ配信サーバ５に接続する。コンテンツ配信サーバ５は、移動通信センタ３を介して各携帯端末１Ａ，１Ｂに音楽データを配信する（ステップＳＴ７１、ステップＳＴ７２）。各携帯端末１Ａ，１Ｂのユーザは、任意のタイミングで音楽データを再生する（ステップＳＴ７３、ステップＳＴ７４）。再生ログ生成部１８は、再生した音楽データの再生ログを生成し（ステップＳＴ７５、ステップＳＴ７６）、再生ログを移動通信センタ３に送信する（ステップＳＴ７７、ステップＳＴ７８）。
【００３５】
移動通信センタ３のログ受付部３１は、各携帯端末１Ａ，１Ｂから送信された再生ログを取り込んで、ログＤＢ３２に格納する（ステップＳＴ７９）。集計リスト作成部３３は、ログＤＢ３２に格納された全ての携帯端末１Ａ，１Ｂの再生ログから、再生回数の多い順に楽曲を並べ替えて集計リストを作成する（ステップＳＴ８０）。広告作成部３５は、作成された集計リストと携帯端末１Ａの再生ログとを照合し（ステップＳＴ８１）、携帯端末１Ａのユーザの嗜好性に合わせた広告情報を作成する（ステップＳＴ８２）。具体的には、集計リスト作成処理、並びにマッチング処理及び広告情報作成処理は、図８に示すように行われる。
【００３６】
図８は、集計リスト作成部３３における集計リスト作成処理、並びに広告作成部３５におけるマッチング処理及び広告情報作成処理を説明するためのフロー図である。また、図８と共に図４乃至図６を適宜参照しながら、図４に示す再生ログ４０を携帯端末１Ａの再生ログとして説明する。
【００３７】
各携帯端末１Ａ，１Ｂの再生ログがログＤＢ３２に格納されると（ステップＳＴ９１）、集計リスト作成部３３は、ログＤＢ３２内に格納された再生ログを読出して集計し（ステップＳＴ９２）、ログＤＢ３２内の携帯端末１Ａの再生ログ４０の生成時から所定期間（例えば、３０日）内の再生ログがあるか否かを判別する（ステップＳＴ９３）。所定期間内の再生ログがある場合（ステップＳＴ９３：Ｙｅｓ）、所定期間内の再生ログのみを抽出し、抽出した再生ログから再生頻度の高い楽曲順に並び変えて集計リスト５０を作成し、集計リストＤＢ３４に格納する（ステップＳＴ９４、ステップＳＴ９５）。この場合、集計リスト作成部３３は、所定期間内の再生ログに絞り込み、現在から所定期間過去に遡った全ユーザの再生ログによる集計リストを作成するので、当該集計リストから、ユーザ全体の最近の再生傾向、即ち最新のランキング情報を得ることが可能である。
【００３８】
次に、広告作成部３５は、広告配信すべき携帯端末１Ａの再生ログ４０から再生回数の多いジャンル４３を特定し、集計リスト５０とマッチングする（ステップＳＴ９６）。具体的には、広告作成部３５は、図４に示す再生ログ４０から、当該再生ログ４０中で相対的に再生頻度の高い楽曲のジャンル４３が「Ｊ−ＰＯＰ」に集中しているので、携帯端末１Ａのユーザの嗜好の中心がジャンル「Ｊ−ＰＯＰ」に属する楽曲であると予測し、再生ログ４０中のジャンル「Ｊ−ＰＯＰ」に係る楽曲と、集計リスト５０内の同一ジャンル「Ｊ−ＰＯＰ」に係る楽曲とをマッチングする。そして、特定されたジャンルに関して、集計リストの中に、再生ログ４０に含まれる楽曲とは別の楽曲があるか否かを判別する（ステップＳＴ９７）。すなわち、同一ジャンル「Ｊ−ＰＯＰ」に着目して、集計リスト５０の中から、携帯端末１Ａのユーザが再生したことの無い新たな楽曲の有無を判別する。集計リスト５０の中に、再生ログ４０に含まれる楽曲とは別の楽曲がある場合（ステップＳＴ９７：Ｙｅｓ）、当該別の楽曲を当該ユーザに推薦する広告情報６０を作成する（ステップＳＴ９８）。
【００３９】
具体的には、図４の再生ログ４０及び図５の集計リスト５０を比べると、該集計リスト５０のランク順位「２位」、「４位」及び「７位」の３つの楽曲（「ＰＥＡＣＥ」、「ＰＵＮＣＨ」及び「ＨＯＴ」）が再生ログ４０の中には無い。従って、広告作成部３５は、上記３つの楽曲が携帯端末１Ａのユーザの嗜好と合致しているので、該携帯端末１Ａのユーザにこれら３つの楽曲に関する広告情報を配信した場合には、該楽曲を聴く（購入する）可能性が高いと判断して、図６に示すように、該３つの該楽曲を推薦する広告情報６０を作成する。
【００４０】
一方、ログＤＢ３２内に、携帯端末１Ａの再生ログ生成時から所定期間内の再生ログが無い場合（ステップＳＴ９３：Ｎｏ）、ログＤＢ３２内に格納された全ての携帯端末ユーザの再生ログを再生頻度の高い順に並び変えて集計リストを作成する（ステップＳＴ９９）この場合、再生ログ生成時から長期間遡った再生ログ、即ちログＤＢ３２内に格納された過去分全ての再生ログから集計リストを作成するので、音楽データの購入後、当該音楽データを再生しないようなユーザに対しても、ユーザの嗜好を反映した広告情報を配信することが可能となる。
【００４１】
そして、再び図７に戻り、広告配信部３６は、広告作成部３５が生成した広告情報６０を携帯端末１Ａに送信する（ステップＳＴ８３）。
【００４２】
このように、本実施の形態に係る広告配信システムでは、各携帯端末１Ａ，１Ｂ，１Ｃにおいて音楽が再生されると、楽曲のジャンルを含んだ当該楽曲の再生ログを移動通信センタ３に蓄積して、これら再生ログを集計して集計リストを作成する。そして、各携帯端末１Ａ，１Ｂ，１Ｃのユーザの再生ログと集計リストとを照合してコンテンツ再生実績から各携帯端末ユーザの嗜好性を判断し、各携帯端末ユーザの嗜好に最適化された広告情報を配信する。これにより、携帯端末ユーザの嗜好を正確に把握すると共に、携帯端末ユーザの嗜好に合致する広告情報を配信することができるので、新たな音楽データの購入に繋げるなどの広告効果を向上させることができる。すなわち、各携帯端末ユーザに配信される広告情報には、各携帯端末ユーザの嗜好が的確に反映されているため、広告情報を見たユーザに、当該広告情報内の音楽データを購入させる可能性を向上させることができる。
【００４３】
なお、本実施の形態では、広告情報作成及び広告配信処理を一連の動作で行う場合を例に説明したが、これに限定されるものではなく、作成された広告情報を一旦保存し、当該広告情報の配信先である携帯端末ユーザへの広告情報が複数作成されたタイミングで、当該携帯端末ユーザにまとめて複数の広告情報を配信してもよい。
【００４４】
なお、上記実施の形態１では、再生ログ４０に楽曲の属する「ジャンル」４３を含めた場合を例に説明したが、これに限定されるものではなく、例えば、図９に示すように「ジャンル」４３を除いて、「アーティスト」４１及び「曲名」４２で構成される再生ログ４０Ａであってもよい。この場合、移動通信センタ３内にアーティストに関する情報から成る広告素材を格納するための広告データベース（ＤＢ）を設け、広告ＤＢ内に、コンテンツ配信サーバ５からアーティストのライブ及びコンサート情報（日時及び場所）や新曲の発売日等のアーティストに関連するお勧め情報を格納しておくことが考えられる。広告配信対象となる携帯端末ユーザの再生ログ４０Ａを取得後、集計リスト作成部３３は、図１０に示すように、ログＤＢ３２内の全携帯端末ユーザ１の再生ログを再生頻度順に並べ替えると共に、これら再生ログに上記「お勧め情報」１０１を対応付けて集計リスト１００を作成する。この場合、広告作成部３５は、再生ログ４０Ａ及び集計リスト１００のマッチング処理を行い、図１１に示すように、再生ログ４０Ａ内の再生頻度の高いアーティストに関連する「お勧め情報」１１１を含んだ広告情報１１０を作成して携帯端末ユーザに配信する。これにより、広告情報にはアーティストのお勧め情報が含まれているので、集計リストの中に、再生ログには含まれない新たな音楽データが無い場合であっても、携帯端末ユーザの嗜好に合致する音楽データに関するお勧め情報から広告効果を向上させることが可能となる。
【００４５】
（実施の形態２）
上記実施の形態１の広告配信システムでは、再生ログ内の楽曲の属するジャンルに基づいて広告情報を作成したが、本発明の実施の形態２の広告配信システムでは、各携帯端末の楽曲の再生時（再生ログの生成時）の当該携帯端末の再生位置情報に基づいて広告情報を作成するものである。なお、本実施の形態２に係る広告配信システムにおいて、携帯端末及び移動通信センタ３の構成は図２及び図３の構成と同様であるので、その説明を省略する。
【００４６】
図１２は、本実施の形態に係る携帯端末の生成する再生ログの一例を示す図である。図１２に示す再生ログ１２０は、図４に示す再生ログ４０に含まれる「ジャンル」４３に替えて、「位置情報」１２１が含まれている。具体的には、図１２に示す再生ログ１２０は、音楽データの「アーティスト名」４１、「曲名」４２及び「位置情報」１２１から構成されている。ここで、位置情報は、再生時の端末位置を示すデータであり、携帯端末ユーザのコンテンツに対する嗜好を求めるための付加情報である。この位置情報は、例えば「東京」、「大阪」等の都道府県や主要都市、「関東」及び「関西」等の任意のエリアを設定することが可能である。
【００４７】
図１３は、本実施の形態に係る移動通信センタ３の作成する集計リストの一例を示す図である。図１３に示す集計リスト１３０は、図５に示す集計リスト５０に含まれる「ジャンル」５４に替えて、「位置情報」１３１が含まれている。具体的には、図１３に示す集計リスト１３０は、「ランク順位」５１、「位置情報」１３１、「アーティスト名」５２及び「曲名」５３から構成され、集計した全ての携帯端末ユーザ１の再生ログが再生回数の多い順に並べ替えられている。
【００４８】
次に、本実施の形態に係る集計リスト作成処理、並びにマッチング処理及び広告情報作成処理について、図１２乃至図１５を用いて説明する。図１５は、集計リスト作成部３３における集計リスト作成成処理、並びに広告作成部３５におけるマッチング及び広告情報作成処理を説明するためのフロー図である。以下の説明では、携帯端末１Ａのユーザが広告配信対象である場合を例に説明し、図１２に示す再生ログ１２０を携帯端末１Ａの再生ログとする。なお、図１５において、図８に示す処理と同一の処理には同じ番号を付し、その詳細な説明を省略する。
【００４９】
各携帯端末１Ａ，１Ｂの再生ログがログＤＢ３２に格納されると（ステップＳＴ９１）、集計リスト作成部３３は、ログＤＢ３２内に格納された再生ログを集計し（ステップＳＴ９２）、ログＤＢ３２内の携帯端末１Ａの再生ログ１２０の生成時から所定期間（例えば、３０日）内の再生ログがあるか否かを判別する（ステップＳＴ９３）。所定期間内の再生ログがある場合（ステップＳＴ９３：Ｙｅｓ）、所定期間内の再生ログのみを抽出し、抽出した再生ログを再生頻度の高い順に並び変えて集計リストを作成し、集計リストＤＢ３４に格納する（ステップＳＴ９４、ステップＳＴ９５）。
【００５０】
次に、広告作成部３５は、携帯端末１Ａの再生ログ１２０の生成された際の端末位置（楽曲を再生した際のエリア）を特定し、集計リスト１３０とマッチングする（ステップＳＴ１５１）。すなわち、広告作成部３５は、再生ログ１２０の中から相対的に再生頻度の高い楽曲の再生位置を求め、集計リスト１３０と照合する。本例では、広告作成部３５は、図１２に示す再生ログ１２０から当該再生ログ１２０が生成された端末位置が「東京」に集中しているので、携帯端末１Ａのユーザの活動エリア（行動範囲）が「東京」中心であると特定し、再生ログ１２０中の位置情報「東京」に係る楽曲と、集計リスト１３０内の同一位置情報「東京」に係る楽曲とをマッチングする。そして、特定された位置情報に関して、集計リスト１３０の中に、再生ログ１２０に含まれる楽曲とは別の楽曲があるか否かを判別する（ステップＳＴ１５２）。すなわち、同一位置情報「東京」に着目して携帯端末１Ａのユーザの行動範囲を予測し、当該行動範囲内おいて、集計リスト１３０の中から携帯端末１Ａのユーザが再生したことが無い新たな楽曲の有無を判別する。集計リストの中に、再生ログに含まれる楽曲とは別の楽曲がある場合（ステップＳＴ１５２：Ｙｅｓ）、当該別の楽曲に関する広告情報を作成する（ステップＳＴ１５３）。
【００５１】
具体的には、図１２の再生ログ１２０及び図１３の集計リスト１３０を比べると、該集計リスト１３０のランク順位「２位」及び「７位」の２つの楽曲（「ＰＥＡＣＥ」及び「ＨＯＴ」）が再生ログの中には無い。携帯端末ユーザの再生ログは「東京」で生成されたもののみで構成されているため、広告作成部３５は、上記２つの楽曲が携帯端末１Ａのユーザの嗜好と合致していると予測する。すなわち、広告作成部３５は、携帯端末１Ａのユーザの嗜好の中心が「東京」（「東京」エリアで流行している楽曲）にあると推測し、位置情報「東京」に該当する上記２つの楽曲に関する広告情報を配信した場合には、その他の位置情報で再生された楽曲に関する広告情報を配信した場合と比べて、特に高い広告効果を期待できると判断し、図１４に示すように、該２つの楽曲を当該ユーザに推薦する広告情報１４０を生成する。言い換えれば、広告作成部３５は、携帯端末１Ａのユーザの再生ログ１２０の再生された際の端末位置情報「東京」から、マッチング対象となる母集団を、同一位置情報「東京」を含む再生ログを生成した携帯端末ユーザに絞り込み、広告情報を生成する。
【００５２】
このように、本実施の形態に係る広告配信システムでは、各携帯端末において音楽が再生されると、音楽再生時の再生位置情報を含んだ楽曲の再生ログを移動通信センタに蓄積して、これら再生ログを集計して集計リストを作成する。そして、各携帯端末ユーザの再生ログと集計リストとを照合してコンテンツ再生実績から各携帯端末ユーザの嗜好性を判断し、各携帯端末ユーザの嗜好に最適化された広告情報を配信する。これにより、携帯端末ユーザの嗜好を正確に把握すると共に、携帯端末ユーザの嗜好に合致する広告情報を配信することができるので、新たな音楽データの購入に繋げるなどの広告効果を向上させることができる。
【００５３】
また、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【００５４】
例えば、上記実施の形態では、移動通信センタ３を広告配信サーバと構成した場合を例に説明したが、これに限定されるものではなく、移動通信センタ３の外部に広告配信サーバを設ける構成にしてもよい。
【産業上の利用可能性】
【００５５】
本発明は、例えば、携帯電話機等の端末装置及び該端末装置に広告情報を配信する移動通信センタを備えた広告配信システムに適用可能である。
【図面の簡単な説明】
【００５６】
【図１】本発明の実施の形態１に係る広告配信システムの概略構成を示す図である。
【図２】実施の形態１に係る広告配信システムにおける携帯端末の概略構成を示すブロック図である。
【図３】実施の形態１に係る広告配信システムにおける移動通信センタの概略構成を示すブロック図である。
【図４】実施の形態１に係る携帯端末が生成する再生ログの一例を示す図である。
【図５】実施の形態１に係る移動通信センタが作成する集計リストの一例を示す図である。
【図６】実施の形態１に係る移動通信センタが作成する広告情報の一例を示す図である。
【図７】実施の形態１に係る広告配信システムの動作を示すシーケンス図である。
【図８】実施の形態１に係る移動通信センタの集計リスト作成処理、並びにマッチング処理及び広告作成処理を説明するためのフロー図である。
【図９】実施の形態１に係る携帯端末が生成する再生ログのその他の例を示す図である。
【図１０】実施の形態１に係る移動通信センタが作成する集計リストのその他の例を示す図である。
【図１１】実施の形態１に係る移動通信センタが作成する広告情報のその他の例を示す図である。
【図１２】本発明の実施の形態２に係る携帯端末が生成する再生ログの一例を示す図である。
【図１３】実施の形態２に係る移動通信センタが作成する集計リストの一例を示す図である。
【図１４】実施の形態２に係る移動通信センタが作成する広告情報の一例を示す図である。
【図１５】実施の形態２に係る移動通信センタの集計リスト作成処理、並びにマッチング処理及び広告作成処理を説明するためのフロー図である。
【符号の説明】
【００５７】
１Ａ〜１Ｃ  携帯端末
２  移動通信網
３  移動通信センタ
５  コンテンツ配信サーバ
１６  メモリ
１７  再生部
１８  再生ログ生成部
１９  位置測定部
３１  ログ受付部
３２  ログデータベース
３３  集計リスト作成部
３４  集計リストデータベース
３５  広告作成部
３６  広告配信部
【図１】
0005205069.tif 000002
【図２】
0005205069.tif 000003
【図３】
0005205069.tif 000004
【図４】
0005205069.tif 000005
【図５】
0005205069.tif 000006
【図６】
0005205069.tif 000007
【図７】
0005205069.tif 000008
【図８】
0005205069.tif 000009
【図９】
0005205069.tif 000010
【図１０】
0005205069.tif 000011
【図１１】
0005205069.tif 000012
【図１２】
0005205069.tif 000013
【図１３】
0005205069.tif 000014
【図１４】
0005205069.tif 000015
【図１５】
0005205069.tif 000016